(57)【特許請求の範囲】
【請求項１】
長手方向両端の側端板に上面板及び後側板を取り付けてなり、これら各板にて囲われて下部台を嵌める嵌合スペースが形成されている上部台及び底の無い箱状の下部台の一方に他方を引き出しかつ押し入れ可能に嵌合し、これら上部台及び下部台に係止部を設けて、前記係止部により前記上部台と前記下部台との互いの位置決めすると共に係止して、前記上部台及び前記下部台に商品を載せると共に商品陳列量を調節可能としたものであって、
前記上部台の係止部は、上部台の長手方向に平行な複数本の突状の線条を前記上面板の裏面に形成されたものであり、前記下部台の係止部は、下部台の長手方向に平行な１つのリブ状を上面板の表面であって後側板側に形成したものであることを特徴とする商品陳列調整台。
【請求項２】
長手方向両端の側端板に上面板及び後側板を取り付けてなり、これら各板にて囲われて下部台を嵌める嵌合スペースが形成されている上部台及び底の無い箱状の下部台の一方に他方を引き出しかつ押し入れ可能に嵌合し、これら上部台及び下部台に係止部を設けて、前記係止部により前記上部台と前記下部台との互いの位置決めすると共に係止して、前記上部台及び前記下部台に商品を載せると共に商品陳列量を調節可能としたものであって、
前記上部台の係止部は、上部台の長手方向に平行な複数本の突状の線条を前記上面板の裏面に形成されたものであり、前記下部台の係止部は、下部台の長手方向に平行な複数の溝を下部台の上面板の表面に形成したものであることを特徴とする商品陳列調整台。
【請求項３】
前記上部台の上面が前記下部台の上面より高く、これらを嵌合した際、段差が生じるようにしたことを特徴とする請求項１記載の商品陳列調整台。
【請求項４】
前記上部台及び前記下部台の少なくとも一方に段差を設けてなることを特徴とする請求項１又は３記載の商品陳列調整台。
【請求項５】
前記上部台の上面板の表面に前記上部台の長手方向に平行な複数の溝を設けたことを特徴とする請求項２記載の商品陳列調整台。
【請求項６】
前記上部台の上面板の溝の凹み部の突出した部分が上部台の上面板の裏面に形成される突状であることを特徴とする請求項５記載の商品陳列調整台。
【請求項７】
上部台及び下部台のいずれの上面板の側端板側のへりにＬ溝を設けたことを特徴とする請求項５又は６記載の商品陳列調整台。
【発明の詳細な説明】
【０００１】
【発明の属する技術分野】
本発明は、主にスーパー、百貨店、専門店、コンビニエンスストアー等の店内で商品を陳列するのに用いられ、商品量や商品の特性により陳列を多面的に変えることができる商品陳列調整台に関する。
【０００２】
【従来の技術】
従来、スーパー等の店内で商品を陳列する方法は、最も単純なものとして、(1) 水平の陳列台に仕切りを設け、その仕切りごとに商品を並べたり、台に商品を並べ、この台ごと水平の陳列台に載せたものがある。また、(2) 傾斜している陳列台に仕切りや雛壇を設け、その仕切り内や雛壇ごとに商品を並べたり、台に商品を並べこの台ごと直接傾斜の陳列台に載せたものがある。また、(3) 水平あるいは傾斜を選択でき、しかも傾斜角も選択できる角度選択型陳列台に仕切りを設けて、その仕切り内ごとに商品を並べたり、台に商品を並べこの台ごと角度選択陳列台に載せたものもある。更に、(4) 上記の(2) 、(3) の傾斜している陳列台の代わりに、仕切り板や雛壇を予め設けてある商品陳列棚を台に載せ、この仕切り板内や雛壇に直接商品を並べるものもある。これらスーパー等の店内での商品陳列方法は、それにより商品の売れ行きが左右されることが多いから、上記した方法以外にも工夫を凝らし、様々な方法が取られ、その模様替えも頻繁に行われる。
【０００３】
そして、商品は陳列台の手前の方から順次売れるから、時間がたつにつれ陳列台の手前には商品が無くなったり、ごく少量になる。特に生鮮食料品を陳列する冷蔵ケースでは上記傾向が顕著となり、客は冷蔵ケースの奥の方にある商品を見逃したり、何となく取り辛かったりして、商品の売れ行きに悪い影響を及ぼすことが多くなる。従って、冷蔵ケースの奥の方にある商品を店員が手前に移して、その悪影響を排除している。また、最初から商品が少量である場合は、冷蔵ケースの仕切りを小さくしてその仕切り内に少量の商品を陳列することで、対応している。
【０００４】
【発明が解決しようとする課題】
上記(1) 〜(4) の商品陳列方法では、商品が売れて陳列台の手前の商品が無くなったり、ごく少量になると、いずれも店員が各種陳列台の奥にある商品を手前に寄せて、上記した悪影響を排除しようとする。しかし、単に商品を手前に寄せるだけでは、商品の陳列量のボリューム感が無くなり、客の購買意欲が低下してしまう。この為、商品陳列のボリューム感を保持するために、種々の台を置くなどして商品を陳列替えする必要があるが、その作業は煩わしいものである。また、最初から陳列商品が少量である場合は、上記の各種商品陳列方法では、商品の陳列量のボリューム感を出すことが難しく、上記と同様に種々の台を置くなどして商品を後ろ支えする必要があり、その作業が煩わしく、客の購買意欲を高い状態に維持することが難しい。
【０００５】
また、冷蔵ケースの場合も上記(1) 〜(4) の商品陳列方法と同じことが言える。すなわち、商品が売れて商品が少量になったり、最初から陳列商品が少量である場合に、煩わしい作業をすることなく容易な作業にて、商品の陳列量のボリューム感を保ち、客の購買意欲を高い状態に維持することが困難である。
【０００６】
従って、本発明の目的は、商品の多様化、頻繁な模様替えに対応可能であることに加え、商品量や商品の特性により陳列を極めて容易かつ多面的に変えることができる商品陳列調整台を提供することにある。
【０００７】
【課題を解決するための手段】
かかる状況において、本発明者らは、鋭意検討を行った結果、上部台に下部台を引き出しかつ押し入れ可能に嵌合し、上部台及び下部台に係止部を設けてあると、これらを互いに位置決めし係止すれば、上部台及び下部台に商品をその陳列量に応じてボリューム感を失うことなく、容易に陳列可能であることを見出し、本発明を完成するに至った。
【０００８】
すなわち、本発明は、長手方向両端の側端板に上面板及び後側板を取り付けてなり、これら各板にて囲われて下部台を嵌める嵌合スペースが形成されている上部台及び底の無い箱状の下部台の一方に他方を引き出しかつ押し入れ可能に嵌合し、これら上部台及び下部台に係止部を設けて、前記係止部により前記上部台と前記下部台との互いの位置決めすると共に係止して、前記上部台及び前記下部台に商品を載せると共に商品陳列量を調節可能としたものであって、前記上部台の係止部は、上部台の長手方向に平行な複数本の突状の線条を前記上面板の裏面に形成されたものであり、前記下部台の係止部は、下部台の長手方向に平行な１つのリブ状を上面板の表面であって後側板側に形成したものであることを特徴とする商品陳列調整台を提供するものである。
【０００９】
また、本発明は、長手方向両端の側端板に上面板及び後側板を取り付けてなり、これら各板にて囲われて下部台を嵌める嵌合スペースが形成されている上部台及び底の無い箱状の下部台の一方に他方を引き出しかつ押し入れ可能に嵌合し、これら上部台及び下部台に係止部を設けて、前記係止部により前記上部台と前記下部台との互いの位置決めすると共に係止して、前記上部台及び前記下部台に商品を載せると共に商品陳列量を調節可能としたものであって、前記上部台の係止部は、上部台の長手方向に平行な複数本の突状の線条を前記上面板の裏面に形成されたものであり、前記下部台の係止部は、下部台の長手方向に平行な複数の溝を上面板の表面に形成したものであることを特徴とする商品陳列調整台を提供するものである。
【００１３】
【発明の実施の形態】
以下、実施の形態を挙げて本発明を図１〜図２１に基づいて詳述する。
図１は本発明の実施の形態である商品陳列調整台を示す斜視図、図２は本発明の実施の形態である商品陳列調整台の一部を切断して示す斜視図である。両図において、商品陳列調整台１は、上部台２及び下部台３の一方に他方を引き出しかつ押し入れ可能に嵌合し、これら上部台２及び下部台３に係止部４及び５を設けて、この係止部４及び５により上部台２と下部台３との互いの位置決めすると共に係止して、上部台２及び下部台３に商品６を載せると共に商品６の陳列量を調節可能としたものである。
【００１４】
上部台２は、長手方向両端の側端板１０、１１に上面板１２及びストッパ板１３を取り付けてなり、これら各板にて囲われて下部台３を嵌める嵌合スペース１４が形成されている。この上部台２の上面板１２には商品６が載り、その裏面、すなわち、嵌合スペース１４側に前記係止部４が設けられている。この係止部４は上部台２の長手方向に平行な複数本の線条１５により構成されている。
【００１５】
下部台３は底の無い箱状をなし、上面板２０にそれを支持する側端板２１、２２及び前側板２３、後側板２４を取り付けてなる。この下部台３は上部台２の嵌合スペース１４に嵌合されるから、上部台２より僅かにその外形寸法が小さい。
下部台３の上面板２０には商品６が載り、その後側板２４側に前記係止部５が設けられている。この係止部５は、リブ状をなし、上記係止部４の線条１５に掛けて下部台３上で上部台２が移動しないようにしている。従って、上部台２は下部台３上に複数本の線条１５ごとに移動しないように設置できる。すなわち、上部台２は下部台３上に完全に重ね合わせた状態から、商品６の量に応じて、複数本の線条１５ごとに上部台２から下部台３を引き出して互いに位置決めを成すと共に係止して、下部台３上を上部台２が移動しないようにできるものである。
【００１６】
また、商品陳列調整台１ａは、図３及び図４に示すように、上部台２ａの上面板１２が下部台３ａの上面板２０よりかなり高く、これらを嵌合した際、段差２５が生じ、その段差２５に商品６を陳列できるようにしたものであってもよい。
そして、この商品陳列調整台１ａは、上部台２ａの上面板１２及び下部台３ａの上面板２０に商品落下防止部２６及び２７を設け、いずれの上面板１２、２０からも商品６が落ちずらくしている。なお、下部台３ａに上部台２ａを完全に重ね合わせ、上部台２ａの高さを利用して、単に背の高い商品陳列調整台１ａとして使用してもよい。また、上部台２ａの上面板１２の裏面側（嵌合スペース１４側）には、係止部４（不図示）が当然設けられている。
【００１７】
また、商品陳列調整台１ｂは、図５及び図６に示すように、下部台３ｂの前側板２３に段差２８を予め設けてあってもよい。この場合、下部台３ｂから上部台２ｂが、商品落下防止部２６により取り外し難くなる可能性があるので、上部台２ｂの上面板１２には切欠部２９が設けられている。
【００１８】
また、商品陳列調整台１ｃは、図７に示すように、下部台３ｂが２分割されて、下部台半体３ｃが２セットであってもよい。この場合、２セットの下部台半体３ｃを互いに独立して使用できるから、１つの商品陳列調整台１ｃで２種類の使い分けが可能となる。
【００１９】
次に、上記構成になる商品陳列調整台１、１ａ、１ｂ、１ｃの使用方法を説明する。なお、これら各種の商品陳列調整台１、１ａ、１ｂ、１ｃは、その使用方法がほとんど同様なので、商品陳列調整台１ｂを代表して説明し、必要に応じてその他の商品陳列調整台１、１ａ、１ｃを説明する。
まず、設置してあるショーケース及び商品６に合う商品陳列調整台を選定する。図８では冷蔵ケース３０の棚３１に商品陳列調整台１ｂを設置する場合を示す。すなわち、棚３１は、上段棚３２、中段棚３３、下段棚３４に分かれ、それぞれに商品陳列調整台１ｂが設置されている。上段棚３２から中段棚３３、下段棚３４に行くに従って、棚の奥行きが長くなっているから、それに合わせて商品陳列調整台１ｂの上部台２ｂから下部台３ｂを引き出し、係止部４、５にて位置決めし係止して、移動しないようにしている。なお、同一段の棚であっても、商品の量及び容積により上部台２ｂからの下部台３ｂの引き出し位置が異なっている。そして、商品陳列調整台１ｂ同士の間に必要に応じて仕切り板３５が設置されている。あとは棚３１に配置されたそれぞれの商品陳列調整台１ｂ上に商品を陳列すればよい。なお、上記した設置状況は他の商品陳列調整台１、１ａ、１ｃも全く同様である。
【００２０】
次に、具体的に商品陳列調整台１ｂ上に商品を陳列する場合を説明する。図９は商品６が多く、かつボリューム感も出す場合の陳列を示し、全部の棚３１上にある商品陳列調整台１ｂについて、上部台２ｂの嵌合スペース１４に下部台３ｂを完全に押し入れた状態で係止部４、５にて位置決めし係止して、移動しないようにし、その状態の商品陳列調整台１ｂ上に商品６を陳列している。
【００２１】
図１０は商品が売れて少なくなった場合あるいは最初から商品が少ない場合で、かつボリューム感も出す場合の陳列を示している。上述のように、棚３１の棚の奥行きが異なっているから、それに合わせて商品陳列調整台１ｂの上部台２ｂから下部台３ｂを引き出し、係止部４、５にて位置決めし係止して、移動しないようにしている。すなわち、上段棚３２は上部台２ｂからの下部台３ｂの引き出し量が少なく、下に行くに従って引き出し量が多くなっている。この状態の商品陳列調整台１ｂ上に少量の商品６を陳列しているから、商品が少なくてもボリューム感を出すことができる。なお、上記した具体的な設置状況は他の商品陳列調整台１、１ａ、１ｃも全く同様である。
【００２２】
図１１〜図２１は本発明の他の実施形態の商品陳列調整台４０を示すものであり、この商品陳列調整台４０と図１〜図１０に示した商品陳列調整台１との相違点は、上部台４１及び下部台４２に商品支持板４３を嵌める溝４４及び４５を設けた点にある。すなわち、上部台４１の上面板４６に溝４４が設けられ、下部台４２の上面板４７に溝４５が設けられている。そして、上部台４１及び下部台４２の係止は、上部台４１の溝４４の凹み部の延出した部分を係止部４８とする一方、この係止部４８を下部台４２の上面板４７の溝４５に嵌めることで行われる。また、上面板４６の側端板１０、１１側のへりにＬ溝４９が付けられ、且つ上面板４７の側端板２１、２２側のへりにもＬ溝５０が付けられ、図１４に示すように、上部台４１上に下部台４２を積み重ねた際、ずれないようにしている。尚、図１１中、５１は上部台４１から下部台４２を引き出す際の指掛けである。
【００２３】
また、図１５に示すように、上部台４１のＬ溝４９の溝底５２の高さと、下部台４２上面板４７の高さとを同じにして、商品陳列調整台４０同士を積み重ねた際、ぐらつかせないようにしている。更に、上部台４１から下部台４２を引き出した状態の商品陳列調整台４０同士を積み重ねた際、下位の下部台４２の溝４５に上位の下部台４２の前側板２３が落ち込まないように、この前側板２３の裏側にリブ５３が設けられている。なお、このリブ５３の代わりに前側板２３の厚みを溝４５の溝幅より厚くしてもよい。
【００２４】
次に、具体的に商品陳列調整台４０上に商品を陳列する場合を説明する。図１６は比較的小さい商品６が多く、かつボリューム感も出す場合の陳列を示す。従って、冷蔵ケース３０の全部の棚３１上にある商品陳列調整台４０について、上部台４１から下部台４２をほぼ完全に引き出した状態で係止部４８を下部台４２の溝４５に嵌めることで、位置決めし係止して移動しないようにし、更に、上部台４１の溝４４に商品支持板４３を嵌め、商品６を後ろ支えできるようにして、この状態の商品陳列調整台４０上に商品６を陳列しボリューム感を出している。
【００２５】
図１７は図１６と同じ商品６で少量であるのに、ボリューム感を出す陳列としている。すなわち、商品支持板４３を上部台４１から下部台４２の上面板４７の溝４５に移し、手前で商品６を後ろ支えできるようにして、その状態の商品陳列調整台４０上に少量の商品６を陳列しボリューム感を出している。
【００２６】
図１８は比較的大きい商品６が多く、かつボリューム感も出す場合の陳列を示す。従って、冷蔵ケース３０の全部の棚３１上にある商品陳列調整台４０について、上部台４１に下部台４２を完全に押し入れた状態で、位置決めし係止して移動しないようにし、更に、上部台４１の溝４４に商品支持板４３を嵌め、商品６を後ろ支えできるようにして、その状態の商品陳列調整台４０上に商品６を陳列しボリューム感を出している。
【００２７】
図１９は図１８と同じ商品６で少量なのに、ボリューム感を出す陳列としている。すなわち、上部台４１から下部台４２をほぼ完全に引き出した状態で位置決めし係止して、移動しないようにし、更に、商品支持板４３を上部台４１から下部台４２の溝４５に移し、手前で商品６を後ろ支えできるようにして、その状態の商品陳列調整台４０上に少量の商品６を陳列しボリューム感を出している。
【００２８】
図２０は比較的小さい商品６が多く、かつボリューム感も出す場合の陳列を示す。従って、冷蔵ケース３０の上段棚３２上では、２つの商品陳列調整台４０を積み重ねている。すなわち、下段の商品陳列調整台４０は、上部台４１から下部台４２を若干引き出した状態で、位置決めし係止して、移動しないようにし、更に、その上に上部台４１に下部台４２を完全に押し入れた状態の上段の商品陳列調整台４０を積み重ねている。中段棚３３上では、上段棚３２での状況とほぼ同じで、下段の商品陳列調整台４０における下部台４２を上部台４１から僅かに引き出した状態にしている点で異なっている。下段棚３４上では、１つの商品陳列調整台４０を図１４に示すように、上部台４１上に下部台４２を重ねたものである。このような状況の棚３１上の各商品陳列調整台４０上に商品６を陳列しボリューム感を出している。
【００２９】
図２１は図２０と同じ商品６で少量であるのに、ボリューム感を出す陳列としている。すなわち、冷蔵ケース３０の棚３１上では、２つの商品陳列調整台４０を積み重ねている。いずれの商品陳列調整台４０も、上部台４１から下部台４２を引き出した状態で、位置決めし係止して移動しないようにし、その状態で積み重ねている。その引き出し量は棚３１の奥行き長さに対応させている。例えば、下段棚３４では下段及び上段の商品陳列調整台４０とも上部台４１から下部台４２を完全に引き出した状態にしている。そして、このような状況の棚３１上の各商品陳列調整台４０上に商品６を陳列しボリューム感を出している。
【００３０】
以上、本発明の実施形態を説明したが、具体的な構成はこれに限定されず、本発明の要旨を逸脱しない範囲での変更、追加は本発明の範囲内である。
【００３１】
【発明の効果】
以上詳述したように、本発明によれば、上部台及び下部台の引き出し量を自在に調整でき、これらの台自体のボリュームを加減でき、これら台に商品を載せ得るのは無論のこと、その商品の陳列量も自在に調整できる。従って、商品の多様化、頻繁な模様替えに対応可能であることに加え、商品量や商品の特性により陳列を容易かつ多面的に変えることができ、商品陳列のボリューム保持のための陳列替えが容易となり、客の購買意欲を高いレベルで維持できる。
【００３２】
本発明によれば、商品落下防止部により商品の落下が阻止される。従って、上記効果に加え、商品落下防止部により上部台乃至下部台から商品が落下することが殆どなくなり、商品落下防止部が奥に有る場合は商品の後ろ支えにもなり、ボリューム感を出せる。
【００３３】
本発明によれば、段差により商品を見やすく、かつ後ろ支えできる。従って、上記効果に加え、商品が見やすくかつ後ろ支えによりボリューム感を出せるから、客の購買意欲を増すことができる。
【００３４】
本発明によれば、上部台乃至下部台の段差によっても商品を見やすく、かつ後ろ支えできる。従って、上記効果に加え、商品が見やすくかつ後ろ支えによりボリューム感を出せ、客の購買意欲を増すことができる。
【００３５】
本発明によれば、上部台乃至下部台に商品支持板があると、商品の後ろ支えができ、手前に設置すれば落下の防止にもなる。従って、商品が見やすくかつ後ろ支えによりボリューム感を出せ、客の購買意欲を増すことができる。
【図面の簡単な説明】
【図１】本発明の実施形態である商品陳列調整台を示す斜視図である。
【図２】本発明の実施形態である商品陳列調整台の一部を切断して示す斜視図である。
【図３】本発明の実施形態である商品陳列調整台の変形例を示す斜視図である。
【図４】本発明の実施形態である商品陳列調整台の変形例の分解した斜視図である。
【図５】本発明の実施形態である商品陳列調整台の変形例を示す斜視図である。
【図６】本発明の実施形態である商品陳列調整台の変形例の一部を切断して示す分解した斜視図である。
【図７】本発明の実施形態である商品陳列調整台の変形例を示す斜視図である。
【図８】本発明の実施形態である商品陳列調整台の利用状態を示す斜視図である。
【図９】本発明の実施形態である商品陳列調整台の利用状態を示す側面図である。
【図１０】本発明の実施形態である商品陳列調整台の利用状態を示す側面図である。
【図１１】本発明の他の実施形態である商品陳列調整台を示す斜視図である。
【図１２】本発明の他の実施形態である商品陳列調整台の一部を切断して示す分解した斜視図である。
【図１３】本発明の他の実施形態である商品陳列調整台の使用状態を示す斜視図である。
【図１４】本発明の他の実施形態である商品陳列調整台の使用状態を示す斜視図である。
【図１５】本発明の他の実施形態である商品陳列調整台の使用状態を示す一部を切断して示す斜視図である。
【図１６】本発明の他の実施形態である商品陳列調整台の利用状態を示す側面図である。
【図１７】本発明の他の実施形態である商品陳列調整台の利用状態を示す側面図である。
【図１８】本発明の他の実施形態である商品陳列調整台の利用状態を示す側面図である。
【図１９】本発明の他の実施形態である商品陳列調整台の利用状態を示す側面図である。
【図２０】本発明の他の実施形態である商品陳列調整台の利用状態を示す側面図である。
【図２１】本発明の他の実施形態である商品陳列調整台の利用状態を示す側面図である。
【符号の説明】
１、１ａ、１ｂ、１ｃ、４０    商品陳列調整台
２、２ａ、２ｂ、４１          上部台
３、３ａ、３ｂ、４２          下部台
３ｃ                          下部台半体
４、５、４８                  係止部
６                            商品
１０、１１、２１、２２        側端板
１２、２０、４６、４７        上面板
１３                          ストッパー板
１４                          嵌合スペース
１５                          線条
２３                          前側板
２４                          後側板
２５、２８                    段差
２６、２７                    商品落下防止部
２９                          切欠
３０                          冷蔵ケース
３１                          棚
３２                          上部棚
３３                          中部棚
３４                          下部棚
３５                          仕切り板
４３                          商品支持板
４４、４５                    溝
４９、５０                    Ｌ溝
５１                          指掛け
５２                          溝底
５３                          リブ
【図１】
0004548681.tif 000002
【図２】
0004548681.tif 000003
【図３】
0004548681.tif 000004
【図４】
0004548681.tif 000005
【図５】
0004548681.tif 000006
【図６】
0004548681.tif 000007
【図７】
0004548681.tif 000008
【図８】
0004548681.tif 000009
【図９】
0004548681.tif 000010
【図１０】
0004548681.tif 000011
【図１１】
0004548681.tif 000012
【図１２】
0004548681.tif 000013
【図１３】
0004548681.tif 000014
【図１４】
0004548681.tif 000015
【図１５】
0004548681.tif 000016
【図１６】
0004548681.tif 000017
【図１７】
0004548681.tif 000018
【図１８】
0004548681.tif 000019
【図１９】
0004548681.tif 000020
【図２０】
0004548681.tif 000021
【図２１】
0004548681.tif 000022